(57)【要約】【課題】登録された携帯情報端末のみのポインティング操作を可能とする画像表示システムを提供する。【解決手段】画像表示システム１は、画像表示装置（プロジェクター１００）と、携帯情報端末（スマートフォン２０１，２０２，２０３）とを備える。携帯情報端末は、装置情報送信部と、ポインティング操作情報を送信する操作情報送信部とを有する。画像表示装置は、装置情報を受信する装置情報受信部（無線ＬＡＮ通信部５０）と、ポインティング操作情報を受信する操作情報受信部（無線ＬＡＮ通信部５０）と、装置情報リストを生成する装置情報リスト生成部（制御部２０）と、携帯情報端末について、ポインティング操作情報に応じたポインター画像を表示させるか否かを、ポインター表示設定情報として設定するポインター表示設定部２２と、ポインター表示設定情報に基づいて、画像にポインター画像を合成する画像合成部（ＯＳＤ処理部３２）とを有する。【選択図】図２
2014089379.tif 000002
【特許請求の範囲】
【請求項１】
画像情報に基づく画像を表示する画像表示装置と、１または複数の携帯情報端末と、を備える画像表示システムであって、
前記携帯情報端末は、
前記携帯情報端末の装置情報を送信する装置情報送信部と、
ポインティング操作を受け付ける操作受付部と、
前記操作受付部が受け付けた前記ポインティング操作をポインティング操作情報として送信する操作情報送信部と、
を有し、
前記画像表示装置は、
前記携帯情報端末から前記装置情報を受信する装置情報受信部と、
前記携帯情報端末から前記ポインティング操作情報を受信する操作情報受信部と、
前記装置情報受信部が受信した前記装置情報に基づいて、１または複数の前記携帯情報端末が登録された装置情報リストを生成する装置情報リスト生成部と、
前記装置情報リストに登録されている前記携帯情報端末について、前記ポインティング操作情報に応じたポインター画像を表示させるか否かを、ポインター表示設定情報として設定するポインター表示設定部と、
前記ポインター表示設定情報に基づいて、前記画像情報に基づく画像に、前記ポインティング操作情報に応じた前記ポインター画像を合成する画像合成部と、
を有することを特徴とする画像表示システム。
【請求項２】
請求項１に記載の画像表示システムであって、
前記画像表示システムは、情報処理装置をさらに備え、
前記情報処理装置は、
前記画像表示装置から、前記ポインター表示設定情報または前記装置情報リストを受信するポインター表示設定受信部と、
前記ポインター表示設定受信部が受信した前記ポインター表示設定情報または前記装置情報リストに登録されている前記携帯情報端末について、前記ポインティング操作情報に応じたポインター画像を前記画像表示装置に表示させるか否かを、第２のポインター表示設定情報として設定する第２のポインター表示設定部と、
前記第２のポインター表示設定情報を前記画像表示装置に送信する第２のポインター表示設定送信部と、
を有し、
前記画像表示装置は、
前記ポインター表示設定情報または前記装置情報リストを前記情報処理装置に送信するポインター表示設定送信部と、
前記情報処理装置から前記第２のポインター表示設定情報を受信する第２のポインター表示情報受信部と、
前記第２のポインター表示情報受信部が受信した前記第２のポインター表示設定情報に基づいて、前記ポインター表示設定部の設定を変更するポインター表示設定変更部と、
をさらに有することを特徴とする画像表示システム。
【請求項３】
請求項２に記載の画像表示システムであって、
前記情報処理装置は、前記携帯情報端末であることを特徴とする画像表示システム。
【請求項４】
請求項１乃至３のいずれか一項に記載の画像表示システムであって、
前記携帯情報端末の前記操作受付部は、タッチパネルを有して構成され、当該タッチパネルによって、前記ポインティング操作を受け付けることを特徴とする画像表示システム。
【請求項５】
請求項４に記載の画像表示システムであって、
前記画像表示装置は、
前記画像合成部によって合成された合成画像の情報を前記携帯情報端末に送信する画像送信部をさらに有し、
前記携帯情報端末は、
前記画像表示装置から前記合成画像の情報を受信する画像受信部をさらに有し、
前記タッチパネルは、前記画像受信部が受信した前記合成画像の情報に基づく前記合成画像を表示して、前記ポインティング操作を受け付けることを特徴とする画像表示システム。
【請求項６】
画像情報に基づく画像を表示する画像表示装置と、１または複数の携帯情報端末と、を備える画像表示システムの制御方法であって、
前記携帯情報端末は、
前記携帯情報端末の装置情報を送信する装置情報送信ステップと、
ポインティング操作を受け付ける操作受付ステップと、
前記操作受付ステップによって受け付けられた前記ポインティング操作をポインティング操作情報として送信する操作情報送信ステップと、
を有し、
前記画像表示装置は、
前記携帯情報端末から前記装置情報を受信する装置情報受信ステップと、
前記携帯情報端末から前記ポインティング操作情報を受信する操作情報受信ステップと、
前記装置情報受信ステップによって受信された前記装置情報に基づいて、１または複数の前記携帯情報端末が登録された装置情報リストを生成する装置情報リスト生成ステップと、
前記装置情報リストに登録されている前記携帯情報端末について、前記ポインティング操作情報に応じたポインター画像を表示させるか否かを、ポインター表示設定情報として設定するポインター表示設定ステップと、
前記ポインター表示設定情報に基づいて、前記画像情報に基づく画像に、前記ポインティング操作情報に応じた前記ポインター画像を合成する画像合成ステップと、
を有することを特徴とする画像表示システムの制御方法。
【発明の詳細な説明】
【技術分野】
【０００１】
本発明は、画像表示システム、および画像表示システムの制御方法に関する。
【背景技術】
【０００２】
従来、ＰＣ（パーソナルコンピューター）等の情報処理装置とプロジェクター等の情報表示装置と複数のポインティング装置を有する情報表示システムが知られている（特許文献１）。このような情報表示システムにおいては、ＰＣは、複数のポインティング装置の中から、認証されたポインティング装置のみを登録する。これにより、認証可とされたポインティング装置のみを登録するようにしているので、部外者などによる不正なポインティング操作を未然に防止することができる。
【先行技術文献】
【特許文献】
【０００３】
【特許文献１】特開２００４−３４８５７７号公報
【発明の概要】
【発明が解決しようとする課題】
【０００４】
しかしながら、特許文献１の情報表示システム（画像表示システム）では、ＰＣにポインティング装置を登録するため、１台のプロジェクターに対して、ＰＣを取り替えて使用するような使用形態には、不向きであった。よって、ＰＣを取り替えて使用するような使用形態においても、登録されたポインティング装置のみのポインティング操作を可能とする画像表示システムが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示システムは、画像情報に基づく画像を表示する画像表示装置と、１または複数の携帯情報端末と、を備える画像表示システムであって、前記携帯情報端末は、前記携帯情報端末の装置情報を送信する装置情報送信部と、ポインティング操作を受け付ける操作受付部と、前記操作受付部が受け付けた前記ポインティング操作をポインティング操作情報として送信する操作情報送信部と、を有し、前記画像表示装置は、前記携帯情報端末から前記装置情報を受信する装置情報受信部と、前記携帯情報端末から前記ポインティング操作情報を受信する操作情報受信部と、前記装置情報受信部が受信した前記装置情報に基づいて、１または複数の前記携帯情報端末が登録された装置情報リストを生成する装置情報リスト生成部と、前記装置情報リストに登録されている前記携帯情報端末について、前記ポインティング操作情報に応じたポインター画像を表示させるか否かを、ポインター表示設定情報として設定するポインター表示設定部と、前記ポインター表示設定情報に基づいて、前記画像情報に基づく画像に、前記ポインティング操作情報に応じた前記ポインター画像を合成する画像合成部と、を有することを特徴とする。
【０００７】
このような画像表示システムによれば、画像表示装置と携帯情報端末とを備える。携帯情報端末は、装置情報送信部と、操作受付部と、操作情報送信部とを有している。装置情報送信部は、携帯情報端末の装置情報を送信する。操作受付部は、ポインティング操作を受け付ける。操作情報送信部は、ポインティング操作情報を送信する。画像表示装置は、装置情報受信部と、操作情報受信部と、装置情報リスト生成部と、ポインター表示設定部と、画像合成部と、を有している。装置情報受信部は、携帯情報端末から装置情報を受信する。操作情報受信部は、携帯情報端末からポインティング操作情報を受信する。装置情報リスト生成部は、携帯情報端末の装置情報リストを生成する。ポインター表示設定部は、装置情報リストに登録されている携帯情報端末について、ポインター画像を表示させるか否かをポインター表示設定情報として設定する。画像合成部は、ポインター表示設定情報に基づいて、画像にポインティング操作情報に応じたポインター画像を合成する。つまり、画像表示装置は、装置情報リストを生成し、装置情報リストに登録されている携帯情報端末について、ポインター画像を表示させるか否かを設定し、設定されたポインター表示設定情報に基づいて、画像にポインティング操作情報に応じたポインター画像を合成する。これにより、画像表示装置は、ポインティング操作情報を受信し、装置情報リストに登録されている携帯情報端末について、ポインター画像を表示または非表示に切り替えることができる。
【０００８】
［適用例２］上記適用例に係る画像表示システムにおいて、前記画像表示システムは、情報処理装置をさらに備え、前記情報処理装置は、前記画像表示装置から、前記ポインター表示設定情報または前記装置情報リストを受信するポインター表示設定受信部と、前記ポインター表示設定受信部が受信した前記ポインター表示設定情報または前記装置情報リストに登録されている前記携帯情報端末について、前記ポインティング操作情報に応じたポインター画像を前記画像表示装置に表示させるか否かを、第２のポインター表示設定情報として設定する第２のポインター表示設定部と、前記第２のポインター表示設定情報を前記画像表示装置に送信する第２のポインター表示設定送信部と、を有し、前記画像表示装置は、前記ポインター表示設定情報または前記装置情報リストを前記情報処理装置に送信するポインター表示設定送信部と、前記情報処理装置から前記第２のポインター表示設定情報を受信する第２のポインター表示情報受信部と、前記第２のポインター表示情報受信部が受信した前記第２のポインター表示設定情報に基づいて、前記ポインター表示設定部の設定を変更するポインター表示設定変更部と、をさらに有することを特徴とする。
【０００９】
このような画像表示システムによれば、情報処理装置をさらに備える。情報処理装置は、ポインター表示設定受信部と、第２のポインター表示設定部と、第２のポインター表示設定送信部とを有している。ポインター表示設定受信部は、画像表示装置からポインター表示設定情報または装置情報リストを受信する。第２のポインター表示設定部は、ポインター表示設定情報または装置情報リストに登録されている携帯情報端末について、ポインター画像を画像表示装置に表示させるか否かを第２のポインター表示設定情報として設定する。第２のポインター表示設定送信部は、第２のポインター表示設定情報を送信する。画像表示装置は、ポインター表示設定送信部と、第２のポインター表示情報受信部と、ポインター表示設定変更部とをさらに有している。ポインター表示設定送信部は、ポインター表示設定情報または装置情報リストを情報処理装置に送信する。第２のポインター表示情報受信部は、情報処理装置から第２のポインター表示設定情報を受信する。ポインター表示設定変更部は、第２のポインター表示設定情報に基づいて、ポインター表示設定部の設定を変更する。これにより、情報処理装置は、ポインター表示設定情報を受信して、登録されている携帯情報端末について、ポインター画像を表示させるか否かを設定し、設定された第２のポインター表示設定情報を画像表示装置に送信する。画像表示装置は、第２のポインター表示設定情報に基づいてポインター表示設定部の設定を変更するため、第２のポインター表示設定情報に基づいて、画像にポインティング操作情報に応じたポインター画像を合成することができる。これにより、情報処理装置によって、ポインター表示設定情報、即ち装置情報リストに登録されている携帯情報端末について、ポインター画像を表示または非表示に切り替えることができる。
【００１０】
［適用例３］上記適用例に係る画像表示システムにおいて、前記情報処理装置は、前記携帯情報端末であることを特徴とする。
【００１１】
このような画像表示システムによれば、情報処理装置は携帯情報端末である。これにより、携帯情報端末によって、装置情報リストに登録されている携帯情報端末について、ポインター画像を表示または非表示に切り替えることができる。
【００１２】
［適用例４］上記適用例に係る画像表示システムにおいて、前記携帯情報端末の前記操作受付部は、タッチパネルを有して構成され、当該タッチパネルによって、前記ポインティング操作を受け付けることを特徴とする。
【００１３】
このような画像表示システムによれば、携帯情報端末はタッチパネルを有しており、ポインティング操作を受け付ける。これにより、ユーザーは、ポインティング操作をタッチパネルで行うことができる。
【００１４】
［適用例５］上記適用例に係る画像表示システムにおいて、前記画像表示装置は、前記画像合成部によって合成された合成画像の情報を前記携帯情報端末に送信する画像送信部をさらに有し、前記携帯情報端末は、前記画像表示装置から前記合成画像の情報を受信する画像受信部をさらに有し、前記タッチパネルは、前記画像受信部が受信した前記合成画像の情報に基づく前記合成画像を表示して、前記ポインティング操作を受け付けることを特徴とする。
【００１５】
このような画像表示システムによれば、画像表示装置は、画像送信部によって、合成画像の情報を携帯情報端末に送信する。また、携帯情報端末は、画像受信部によって、画像表示装置から合成画像の情報を受信する。そして、携帯情報端末のタッチパネルは、合成画像を表示して、ポインティング操作を受け付ける。これにより、ユーザーは、携帯情報端末に表示された合成画像を視認しながら、ポインティング操作を行うことができる。
【００１６】
［適用例６］本適用例に係る画像表示システムの制御方法は、画像情報に基づく画像を表示する画像表示装置と、１または複数の携帯情報端末と、を備える画像表示システムの制御方法であって、前記携帯情報端末は、前記携帯情報端末の装置情報を送信する装置情報送信ステップと、ポインティング操作を受け付ける操作受付ステップと、前記操作受付ステップによって受け付けられた前記ポインティング操作をポインティング操作情報として送信する操作情報送信ステップと、を有し、前記画像表示装置は、前記携帯情報端末から前記装置情報を受信する装置情報受信ステップと、前記携帯情報端末から前記ポインティング操作情報を受信する操作情報受信ステップと、前記装置情報受信ステップによって受信された前記装置情報に基づいて、１または複数の前記携帯情報端末が登録された装置情報リストを生成する装置情報リスト生成ステップと、前記装置情報リストに登録されている前記携帯情報端末について、前記ポインティング操作情報に応じたポインター画像を表示させるか否かを、ポインター表示設定情報として設定するポインター表示設定ステップと、前記ポインター表示設定情報に基づいて、前記画像情報に基づく画像に、前記ポインティング操作情報に応じた前記ポインター画像を合成する画像合成ステップと、を有することを特徴とする。
【００１７】
このような画像表示システムによれば、画像表示装置は、ポインティング操作情報を受信し、装置情報リストに登録されている携帯情報端末について、ポインター画像を表示または非表示に切り替えることができる。
【００１８】
また、上述した画像表示システム、および画像表示システムの制御方法が、画像表示装置、携帯情報端末、情報処理装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置、携帯情報端末、情報処理装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１９】
【図１】第１の実施形態の画像表示システムを示す斜視図。
【図２】プロジェクターの概略構成を示すブロック図。
【図３】スマートフォンの概略構成を示すブロック図。
【図４】画像表示システムの動作を表すシーケンス図。
【図５】装置情報と装置情報リストを表す説明図であり、（ａ）は、装置情報の説明図、（ｂ）は、装置情報リストの説明図。
【図６】ポインター表示設定情報に基づく選択画面を表す説明図。
【図７】入力画像とポインター画像の合成の説明図であり、（ａ）は、入力画像の説明図、（ｂ）は、ポインター画像の説明図、（ｃ）は、合成画像の説明図。
【図８】スマートフォンの処理のフローチャート。
【図９】プロジェクターの処理のフローチャート。
【図１０】プロジェクターの画像合成処理のフローチャート。
【図１１】ＰＣのポインター表示設定受付処理のフローチャート。
【図１２】第２の実施形態に係る画像表示システムの動作を表すシーケンス図。
【発明を実施するための形態】
【００２０】
（第１の実施形態）
以下、第１の実施形態として、画像表示装置としてのプロジェクター、携帯情報端末としてのスマートフォン、および、情報処理装置としてのＰＣを備えた画像表示システムについて説明する。
【００２１】
図１は、第１の実施形態の画像表示システムを示す斜視図である。
図１に示すように、画像表示システム１は、プロジェクター１００と、スマートフォン２０１，２０２，２０３と、ＰＣ３００とを備えている。ＰＣ３００は、例えば、ノート型のパーソナルコンピューターである。プロジェクター１００は、ＰＣ３００から画像情報の供給を受けて、この画像情報に応じた画像をスクリーン等の投写面Ｓに投写する。本実施形態では、ＰＣ３００とプロジェクター１００とは、ＵＳＢ（Universal Serial Bus）ケーブルＣ１で接続されており、このＵＳＢケーブルＣ１を介して、ＰＣ３００からプロジェクター１００に画像信号が供給されるとともに、制御信号の送受信が行われる。スマートフォン２０１，２０２，２０３は、それぞれ、無線ＬＡＮ通信を利用して、プロジェクター１００と、制御情報等の送受信が可能になっている。
【００２２】
図２は、プロジェクター１００の概略構成を示すブロック図である。
図２に示すように、プロジェクター１００は、画像投写部１０、制御部２０、操作部２１、ポインター表示設定部２２、画像信号入力部３０、画像処理部３１、ＯＳＤ処理部３２、無線ＬＡＮ通信部５０等を備えている。
【００２３】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２４】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２６】
制御部２０は、ＣＰＵ（Central Processing Unit）や、各種データ等の一時記憶に用いられるＲＡＭ、不揮発性のＲＯＭ等を備えており、ＲＯＭに記憶されている制御プログラムに従ってＣＰＵが動作することによりプロジェクター１００の動作を統括制御する。つまり、制御部２０は、コンピューターとして機能する。
【００２７】
操作部２１は、ユーザーがプロジェクター１００に対して各種指示を行うための複数の操作キーを備えている。本実施形態の操作部２１が備える操作キーとしては、電源のオン・オフを切り替えるための電源キー、各種設定用のメニュー画像を表示させるメニューキー、メニュー画像における項目の選択等に用いられる方向キー、選択した項目を確定させるための決定キー等がある。
【００２８】
ユーザーが操作部２１の各種操作キーを操作すると、操作部２１は、この操作を受け付けて、操作された操作キーに対応する制御信号を制御部２０に出力する。そして、制御部２０は、操作部２１から制御信号が入力されると、入力された制御信号に基づく処理を行って、プロジェクター１００の動作を制御する。なお、操作部２１の代わりに、あるいは操作部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００２９】
ポインター表示設定部２２は、メモリーを有して構成されている。ポインター表示設定部２２は、プロジェクター１００と接続が確立されているスマートフォン２０１，２０２，２０３のそれぞれについて、ポインター画像を投写画像に表示させるか否かの情報が設定される。ポインター表示設定部２２への書き込みおよび読み出しは、制御部２０が行う。
【００３０】
画像信号入力部３０は、複数の入力端子を備えており、これらの入力端子には、パーソナルコンピューターやビデオ再生装置等の画像供給装置から各種形式の画像信号が入力される。本実施形態では、ＰＣ３００から画像信号が入力される。画像信号入力部３０は、入力された画像信号を、画像処理部３１で処理可能な形式の画像情報に変換して、画像処理部３１に出力する。
【００３１】
画像処理部３１は、画像信号入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００３２】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。本実施形態では、ＯＳＤ処理部３２は、制御部２０の指示に基づいて、入力画像にポインター画像の合成を行う。ＯＳＤ処理部３２が、画像合成部に相当する。
【００３３】
液晶駆動部１４は、ＯＳＤ処理部３２から入力される画像情報に従って液晶ライトバルブ１２Ｒ，１２Ｇ，１２Ｂを駆動する。これにより、光源装置１１から射出された光は、液晶ライトバルブ１２Ｒ，１２Ｇ，１２Ｂによって画像情報に応じて変調され、投写レンズ１３から投写される。
【００３４】
無線ＬＡＮ通信部５０は、スマートフォン２０１，２０２，２０３との間で、無線ＬＡＮによる通信を行う。無線ＬＡＮ通信部５０は、制御部２０の指示に基づいて動作し、スマートフォン２０１，２０２，２０３と制御情報等の送受信を行う。例えば、無線ＬＡＮ通信部５０は、スマートフォン２０１，２０２，２０３との接続を確立して、スマートフォン２０１，２０２，２０３の装置情報を受信する。また、プロジェクター１００が投写する画像情報に相当する投写画像情報を、スマートフォン２０１，２０２，２０３に送信したり、スマートフォン２０１，２０２，２０３からポインティング操作情報を受信したりする。無線ＬＡＮ通信部５０が受信したポインティング操作情報は、制御部２０に入力され、制御部２０は、ＯＳＤ処理部３２に指示を出して、ポインター画像として表示させる。無線ＬＡＮ通信部５０が、装置情報受信部、操作情報受信部および画像送信部に相当する。
【００３５】
次に、スマートフォン２０１，２０２，２０３の構成について説明する。ここで、スマートフォン２０１，２０２，２０３の構成は、同様とする。
図３は、スマートフォン２０１，２０２，２０３の概略構成を示すブロック図である。
【００３６】
図３に示すように、スマートフォン２０１，２０２，２０３は、タッチスクリーン２１０、第２制御部２２０、第２画像処理部２３０、第２無線ＬＡＮ通信部２４０等を備えている。
【００３７】
タッチスクリーン２１０は、画像を表示する表示装置２１２と、表示装置２１２上に固定されたタッチパネル２１１とを備えている。表示装置２１２は、第２画像処理部２３０に接続され、タッチパネル２１１は、第２制御部２２０に接続されている。
【００３８】
表示装置２１２は、一対の透明基板間に液晶が封入された液晶パネルと、この液晶パネルを駆動する駆動部（図示せず）等によって構成され、各透明基板の内面には、液晶に対して微小領域（画素）毎に駆動電圧を印加可能な透明電極（画素電極）が矩形状の領域（表示領域）内にマトリクス状に形成されている。
【００３９】
タッチパネル２１１は、ガラスや透明プラスチック等の光透過性を有する下側（表示装置２１２側）基板と、プラスチックフィルム等の光透過性および可撓性を有する上側基板（いずれも図示せず）とが所定の間隔をあけて対向配置された抵抗膜方式のタッチパネルであり、各基板の内面には、透明電極がほぼ全面に渡って形成されている。タッチパネル２１１の上側基板には、タッチ操作（押圧操作）を行うための矩形状の領域（操作領域）が備えられ、ユーザーが指やタッチペン等によって操作領域内をタッチ操作すると、上側基板が撓んで上下の透明電極が接触し、接触した位置（操作位置）に応じた信号（検出信号）が第２制御部２２０に出力される。
【００４０】
ここで、表示装置２１２の表示領域と、タッチパネル２１１の操作領域とは、同一の形状およびサイズに設定されており、タッチパネル２１１は、その操作領域と表示装置２１２の表示領域とが上方から見て一致するように表示装置２１２に固定されている。このため、ユーザーは、表示領域に表示される画像の所望の位置をタッチ操作によって指示することができるようになっている。タッチパネル２１１が、操作受付部に相当する。なお、タッチパネル２１１は、抵抗膜方式に限られず、静電容量方式等、他の方式のタッチパネルを用いることも可能である。
【００４１】
第２制御部２２０は、ＣＰＵや、各種データ等の一時記憶に用いられるＲＡＭ、不揮発性のＲＯＭ等を備えており、ＲＯＭに記憶されている制御プログラムに従ってＣＰＵが動作することによりスマートフォン２０１，２０２，２０３の動作を統括制御する。つまり、第２制御部２２０は、コンピューターとして機能する。
【００４２】
第２画像処理部２３０は、第２制御部２２０の制御プログラムの実行に基づいて画像データを生成し、さらに、当該画像データに基づいて表示装置２１２の表示領域に表示するための画像の表示データを生成する。生成された画像の表示データは、フレーム単位で表示装置２１２に出力される。表示装置２１２は、この画像の表示データに基づいた画像を表示する。
【００４３】
第２無線ＬＡＮ通信部２４０は、プロジェクター１００との間で、無線ＬＡＮによる通信を行う。第２無線ＬＡＮ通信部２４０は、第２制御部２２０の指示に基づいて動作し、プロジェクター１００と制御情報等の送受信を行う。例えば、第２無線ＬＡＮ通信部２４０は、プロジェクター１００との接続を確立して、スマートフォン２０１，２０２，２０３の装置情報を送信する。また、プロジェクター１００が投写する投写画像情報を受信したり、タッチパネル２１１によって操作されたポインティング操作情報を送信したりする。第２無線ＬＡＮ通信部２４０が、装置情報送信部、操作情報送信部および画像受信部に相当する。
【００４４】
本実施形態では、第２制御部２２０には、スマートフォン２０１，２０２，２０３をポインティングデバイスとして使用するためのアプリケーションプログラムが内蔵されており、当該アプリケーションプログラムが起動されている状態で、ユーザーがタッチパネル２１１にタッチ操作を行うと、第２制御部２２０は、タッチ操作に基づいたポインティング操作情報を、第２無線ＬＡＮ通信部２４０から送信することができる。
【００４５】
次に、画像表示システム１（プロジェクター１００、スマートフォン２０１，２０２，２０３、ＰＣ３００）の動作について説明する。
図４は、画像表示システム１の動作を表すシーケンス図である。本実施形態の画像表示システム１では、スマートフォン２０１，２０２，２０３の３つを有するものとしているが、シーケンス図では、１つとして表現する。また、ＰＣ３００からプロジェクター１００へは、画像信号が常に入力されているが、シーケンス図上は表示しない。
【００４６】
スマートフォン２０１，２０２，２０３をポインティングデバイスとして使用するためのアプリケーションプログラムが起動されると、スマートフォン２０１，２０２，２０３は、接続可能なプロジェクターを探索する（ＳＱ１０１）。プロジェクター１００は、探索要求を受け付けると、応答を返す（ＳＱ１０２）。スマートフォン２０１，２０２，２０３は、応答のあったプロジェクター１００に接続要求を送信する（ＳＱ１０３）。プロジェクター１００は、接続要求に応じて、通信接続を確立する（ＳＱ１０４）。
【００４７】
プロジェクター１００は、接続確立したスマートフォン２０１，２０２，２０３に、ＯＳＤ処理部３２が出力している投写画像情報の送信を開始する（ＳＱ１０５）。スマートフォン２０１，２０２，２０３は、プロジェクター１００に装置情報を送信する（ＳＱ１０６）。
【００４８】
プロジェクター１００は、スマートフォン２０１，２０２，２０３から受信した装置情報に基づいて、装置情報リストを生成する（ＳＱ１０７）。ここで、プロジェクター１００は、装置情報リストに基づいて、スマートフォン２０１，２０２，２０３のそれぞれについて、ポインター画像を表示するか否かを示すポインター表示設定情報のデフォルト情報を生成し、ポインター表示設定部２２に設定する（ＳＱ１０８）。なお、ポインター表示設定情報のデフォルト情報においては、ポインター表示は、全て「ＯＮ」とする。
【００４９】
ここで、装置情報と装置情報リストについて説明する。
図５は、装置情報と装置情報リストを表す説明図であり、（ａ）は、装置情報の説明図、（ｂ）は、装置情報リストの説明図である。
【００５０】
図５（ａ）に示すように、装置情報Ｔ１には、送信したスマートフォン自身のＩＤおよびユーザーの情報が含まれている。また、図５（ｂ）に示すように、装置情報リストＴ２は、プロジェクター１００が受信した装置情報に基づいて生成されており、接続確立された３つのスマートフォン２０１，２０２，２０３のＩＤおよびユーザーの情報が含まれている。
【００５１】
図４に戻り、プロジェクター１００は、ＰＣ３００にポインター表示設定情報を送信する（ＳＱ１０９）。ＰＣ３００は、受信したポインター表示設定情報に基づく選択画面を表示し、スマートフォン２０１，２０２，２０３のそれぞれについて、ポインター画像を表示するか否かの設定を受け付ける（ＳＱ１１０）。即ち、ＰＣ３００の操作者（プレゼンター）に、ポインター表示の可否を選択させて、内部メモリー（図示せず）に記憶する。ＰＣ３００の受信部（図示せず）が、ポインター表示設定受信部に相当し、ポインター表示設定を記憶する内部メモリーが、第２のポインター表示設定部に相当する。
【００５２】
ここで、ポインター表示設定情報に基づき、ＰＣ３００が表示を行う選択画面について説明する。
図６は、ポインター表示設定情報に基づく選択画面を表す説明図である。
【００５３】
図６に示すように、選択画面Ｍ１では、ポインター表示設定情報に基づき、３つのスマートフォン２０１，２０２，２０３のそれぞれについて、ポインター表示の「ＯＮ」と「ＯＦＦ」とが設定可能になっている。具体的には、プルダウンメニューＳＬ１，ＳＬ２，ＳＬ３によって、「ＯＮ」と「ＯＦＦ」とが設定可能になっている。さらに、ＰＣ３００の操作者による設定が終了した際に、「設定終了」ボタンＳＬ４を押下することにより、ポインター表示設定を確定させることができる。ここで設定されたポインター表示設定情報を、第２のポインター表示設定情報とする。
【００５４】
図４に戻り、ＰＣ３００は、第２のポインター表示設定情報をプロジェクター１００に送信する（ＳＱ１１１）。ＰＣ３００の送信部（図示せず）が、第２のポインター表示設定送信部に相当する。プロジェクター１００は、受信した第２のポインター表示設定情報に基づき、ポインター表示設定部２２の設定値を変更する（ＳＱ１１２）。
【００５５】
ユーザーがスマートフォン２０１，２０２，２０３を操作すると、ポインターを動かすためのポインティング操作情報が送信される（ＳＱ１１３）。プロジェクター１００は、ポインティング操作情報を受信し、ポインター表示設定部２２の設定値に応じて入力画像にポインター画像を合成して、合成画像を投写する（ＳＱ１１４）。
【００５６】
ここで、入力画像とポインター画像の合成画像について説明する。
図７は、入力画像とポインター画像の合成の説明図であり、（ａ）は、入力画像の説明図、（ｂ）は、ポインター画像の説明図、（ｃ）は、合成画像の説明図である。
【００５７】
図７（ａ）には、ＰＣ３００からプロジェクター１００に入力される画像信号に基づく入力画像Ｇ１が表されている。図７（ｂ）には、スマートフォン２０１，２０２，２０３から送信されたポインティング操作情報に基づき、プロジェクター１００のＯＳＤ処理部３２が、ＯＳＤ画像として生成したポインター画像Ｇ２が示されている。ここでは、スマートフォン２０１，２０２，２０３のいずれについても、ポインター表示が「ＯＮ」となっている状態を表しており、ポインターＰ１，Ｐ２，Ｐ３が表示されている。なお、ポインターＰ１，Ｐ２，Ｐ３は、識別できるように、色分けされて表示されている。
【００５８】
図７（ｃ）には、プロジェクター１００のＯＳＤ処理部３２によって、入力画像Ｇ１にポインター画像Ｇ２が合成された合成画像Ｇ３が表されている。
【００５９】
次に、スマートフォン２０１，２０２，２０３が、プロジェクター１００と接続確立して、ポインティング操作情報の送信を開始するまでの処理について詳細に説明する。
図８は、スマートフォン２０１，２０２，２０３の処理のフローチャートである。なお、スマートフォン２０１，２０２，２０３が行う処理は、同様とする。
【００６０】
スマートフォン２０１，２０２，２０３の第２制御部２２０は、第２無線ＬＡＮ通信部２４０に指示を出して、接続可能なプロジェクターを探索する（ステップＳ１０１）。そして、接続可能なプロジェクター１００が見つかると、第２制御部２２０は、第２無線ＬＡＮ通信部２４０に指示を出して、プロジェクター１００に接続要求を送信して、通信接続を確立する（ステップＳ１０２）。
【００６１】
通信接続が確立されると、プロジェクター１００から投写画像情報が送信されるので、スマートフォン２０１，２０２，２０３は、第２無線ＬＡＮ通信部２４０によって受信を行い、第２制御部２２０は、第２画像処理部２３０を介して表示装置２１２に表示を開始させる（ステップＳ１０３）。そして、第２制御部２２０は、第２無線ＬＡＮ通信部２４０から装置情報Ｔ１を送信させる（ステップＳ１０４）。ここで、装置情報Ｔ１は、第２制御部２２０のメモリー（図示せず）に記憶されているものとする。そして、第２制御部２２０は、タッチパネル２１１によって行われるポインティング操作情報を、第２無線ＬＡＮ通信部２４０から送信する（ステップＳ１０５）。
【００６２】
以降、スマートフォン２０１，２０２，２０３は、投写画像情報を受信しながら、ポインティング操作情報の送信を行う。
【００６３】
次に、プロジェクター１００がスマートフォン２０１，２０２，２０３と接続確立して、ポインティング操作情報の受信を開始するまでの処理について詳細に説明する。
図９は、プロジェクター１００の処理のフローチャートである。
【００６４】
スマートフォン２０１，２０２，２０３から探索要求を受信すると、プロジェクター１００の制御部２０は、無線ＬＡＮ通信部５０に指示を出して、探索要求に対する応答を送信する（ステップＳ２０１）。次に、スマートフォン２０１，２０２，２０３から接続要求を受信すると、制御部２０は、無線ＬＡＮ通信部５０に指示を出して、通信接続を確立して、スマートフォン２０１，２０２，２０３に通知する（ステップＳ２０２）。そして、制御部２０は、無線ＬＡＮ通信部５０に指示を出して、ＯＳＤ処理部３２が出力する画像情報に相当する投写画像情報の送信を開始する（ステップＳ２０３）。
【００６５】
無線ＬＡＮ通信部５０は、スマートフォン２０１，２０２，２０３から装置情報Ｔ１を受信して、制御部２０に通知する。そして、制御部２０は、装置情報リストＴ２を生成する（ステップＳ２０４）。このときの制御部２０が、装置情報リスト生成部に相当する。さらに制御部２０は、装置情報リストＴ２に基づいて、ポインター表示設定情報を生成し、ポインター表示設定部２２に記憶する（ステップＳ２０５）。そして、制御部２０は、ＰＣ３００に、ポインター表示設定情報を送信する（ステップＳ２０６）。
【００６６】
ＰＣ３００によって、ポインター表示設定が設定されると、無線ＬＡＮ通信部５０は、第２のポインター表示設定情報として受信する（ステップＳ２０７）。制御部２０は、ポインター表示設定部２２に、第２のポインター表示設定情報を書き込む（ステップＳ２０８）。このときの制御部２０とポインター表示設定部２２が、ポインター表示設定変更部に相当する。そして、制御部２０は、スマートフォン２０１，２０２，２０３のポインティング操作情報の受信を開始する（ステップＳ２０９）。
【００６７】
上述したように、プロジェクター１００は、スマートフォン２０１，２０２，２０３と接続確立して、ポインティング操作情報の受信を開始する。また、プロジェクター１００は、ＰＣ３００の操作者が設定した第２のポインター表示設定情報に基づき、ポインター表示設定部２２の設定値を変更する。
【００６８】
次に、スマートフォン２０１，２０２，２０３から受信したポインティング操作情報に基づいて、プロジェクター１００が、入力画像にポインター画像を合成する処理について詳細に説明する。
図１０は、プロジェクター１００の画像合成処理のフローチャートである。
【００６９】
プロジェクター１００の制御部２０は、スマートフォン２０１，２０２，２０３からのポインティング操作情報を取得する（ステップＳ３０１）。制御部２０は、ポインター表示設定部２２を参照し、ＯＳＤ処理部３２に指示を出して、表示可能に設定されているポインターについて、ポインター画像を生成させる（ステップＳ３０２）。ＯＳＤ処理部３２は、入力画像にポインター画像を合成する（ステップＳ３０３）。
【００７０】
このように合成された合成画像は、プロジェクター１００の画像投写部１０から投写される。
【００７１】
次に、ＰＣ３００が、操作者によるポインター表示設定を受け付ける際の処理について詳細に説明する。
図１１は、ＰＣ３００のポインター表示設定受付処理のフローチャートである。
【００７２】
ＰＣ３００が、プロジェクター１００からポインター表示設定情報を受信すると、ＰＣ３００は、画面上に、ポインター表示設定情報に基づく選択画面Ｍ１を表示する（ステップＳ４０１）。ＰＣ３００は、ポインターの表示設定が変更されたか否かを判断する（ステップＳ４０２）。つまり、操作者が、プルダウンメニューＳＬ１，ＳＬ２，ＳＬ３を操作して、表示設定を変更したか否かを判断する。
【００７３】
ポインターの表示設定が変更されていれば（ステップＳ４０２：ＹＥＳ）、ＰＣ３００は、ポインター表示設定の設定値を変更して、ＰＣ３００の内部メモリーに記憶する（ステップＳ４０３）。そして、ステップＳ４０２に戻る。
【００７４】
ポインターの表示設定が変更されていなければ（ステップＳ４０２：ＮＯ）、ＰＣ３００は、設定終了ボタンＳＬ４が選択されたか否かを判断する（ステップＳ４０４）。設定終了ボタンＳＬ４が選択されていれば（ステップＳ４０４：ＹＥＳ）、ポインター表示設定の設定値を、第２のポインター表示設定情報として、プロジェクター１００に送信する（ステップＳ４０５）。そして、ＰＣ３００は、選択画面Ｍ１を消去する（ステップＳ４０６）。そして、ポインター表示設定受付処理を終了する。
【００７５】
設定終了ボタンＳＬ４が選択されていなければ（ステップＳ４０４：ＮＯ）、ステップＳ４０２に戻る。
【００７６】
このように、操作者は、ＰＣ３００の選択画面Ｍ１によって、ポインター画像の表示設定を変更することができる。
【００７７】
上述した第１の実施形態によれば、以下の効果が得られる。
（１）画像表示システム１において、プロジェクター１００とスマートフォン２０１，２０２，２０３とが接続確立されると、プロジェクター１００は、装置情報リストＴ２を生成する。プロジェクター１００は、装置情報リストＴ２に基づいたポインター表示設定情報を、ＰＣ３００に送信する。ＰＣ３００は、ポインター表示設定情報に基づいて、スマートフォン２０１，２０２，２０３毎にポインター画像の表示のオン・オフの設定をするための選択画面Ｍ１を表示する。ＰＣ３００の操作者は、選択画面Ｍ１によって、ポインター画像の表示のオン・オフを切り替える。ＰＣ３００の操作者によって設定されたポインター表示設定、即ち第２のポインター表示設定情報は、プロジェクター１００に送信される。そして、プロジェクター１００は、ポインター表示設定に基づいて、入力画像にポインター画像の合成を行い、合成画像の投写を行う。これにより、スマートフォン２０１，２０２，２０３でポインティング操作がなされると、プロジェクター１００の投写画像上にそれぞれのポインター画像が表示される。また、プロジェクター１００は、ポインター表示設定部２２を有し、ＯＳＤ処理部３２によって入力画像にポインター画像の合成を行うため、ＰＣ３００が他のＰＣと置き換えられても、ポインター表示設定を踏襲することができる。また、ＰＣ３００によって、スマートフォン２０１，２０２，２０３のポインター画像のオン・オフを個別に切り替えることができるため、ＰＣ３００の操作者が、必要なポインター画像のみを表示させることが可能となり、利便性が高い。
【００７８】
（２）スマートフォン２０１，２０２，２０３は、タッチパネル２１１を有しており、ポインティング操作を受け付ける。ポインティング操作情報は、無線ＬＡＮ通信によって、プロジェクター１００に送信される。これにより、ユーザーは、ポインティング操作をタッチパネル２１１で行うことができるため、利便性が向上する。
【００７９】
（３）プロジェクター１００は、スマートフォン２０１，２０２，２０３に、ＯＳＤ処理部３２が出力している投写画像情報、即ち合成画像を送信する。スマートフォン２０１，２０２，２０３のタッチスクリーン２１０は、合成画像を表示して、ポインティング操作を受け付ける。これにより、ユーザーは、スマートフォン２０１，２０２，２０３に表示された合成画像を視認しながら、ポインティング操作を行うことができるため、利便性が向上する。
【００８０】
（第２の実施形態）
第２の実施形態では、ポインター画像の表示設定をプロジェクター１００によって行う態様について説明する。
【００８１】
第２の実施形態に係る画像表示システム２の構成は、第１の実施形態の画像表示システム１と同様である。つまり、画像表示システム２は、画像表示装置としてのプロジェクター１００、携帯情報端末としてのスマートフォン２０１，２０２，２０３、および、情報処理装置としてのＰＣ３００を備えている。
【００８２】
プロジェクター１００の構成は、図２と同様である。また、スマートフォン２０１，２０２，２０３の構成も、図３と同様である。ＰＣ３００も第１の実施形態と同様である。よって、説明は省略する。
【００８３】
次に、画像表示システム２（プロジェクター１００、スマートフォン２０１，２０２，２０３、ＰＣ３００）の動作について説明する。
図１２は、第２の実施形態に係る画像表示システム２の動作を表すシーケンス図である。本実施形態の画像表示システム２では、スマートフォン２０１，２０２，２０３の３つを有するものとしているが、シーケンス図では、１つとして表現する。また、ＰＣ３００からプロジェクター１００へは、画像信号が常に入力されているが、シーケンス図上は表示しない。
【００８４】
シーケンスＳＱ２０１からＳＱ２０７までは、図４の第１の実施形態のシーケンスＳＱ１０１からＳＱ１０７までと同様である。よって、説明は省略する。
【００８５】
プロジェクター１００は、装置情報リストＴ２に基づいて、スマートフォン２０１，２０２，２０３のそれぞれについて、ポインター画像を表示するか否かのポインター表示設定のデフォルト情報であるポインター表示設定情報を生成する（ＳＱ２０８）。なお、ポインター表示設定情報のデフォルト情報においては、ポインター表示は、全て「ＯＮ」とする。
【００８６】
プロジェクター１００は、投写画像にポインター表示設定情報に基づいた選択画面を表示し、スマートフォン２０１，２０２，２０３のそれぞれについて、ポインター画像を表示するか否かの設定を受け付ける（ＳＱ２０９）。即ち、操作者（プレゼンター）に、プロジェクター１００の操作部２１を操作させ、ポインター表示の可否を選択させる。ここで、選択画面は、第１の実施形態の選択画面Ｍ１と同様とする。プロジェクター１００は、設定されたポインター表示設定情報を、ポインター表示設定部２２に設定する（ＳＱ２１０）。
【００８７】
ユーザーがスマートフォン２０１，２０２，２０３を操作すると、ポインターを動かすためのポインティング操作情報が送信される（ＳＱ２１１）。プロジェクター１００は、入力画像にポインター画像を合成して、合成画像を投写する（ＳＱ２１２）。
【００８８】
上述したように、画像表示システム２では、操作者は、プロジェクター１００の操作部２１を操作することによって、ポインター画像のオン・オフを設定することができる。そして、図７と同様に、プロジェクター１００のＯＳＤ処理部３２によって、入力画像Ｇ１にポインター画像Ｇ２が合成された合成画像Ｇ３を投写することができる。
【００８９】
上述した第２の実施形態によれば、第１の実施形態の効果（２）および（３）と同様の効果を奏することができる。他に以下の効果が得られる。
（１）画像表示システム２において、プロジェクター１００とスマートフォン２０１，２０２，２０３とが接続確立されると、プロジェクター１００は、装置情報リストＴ２を生成する。プロジェクター１００は、装置情報リストＴ２に基づいてポインター表示設定情報を生成する。プロジェクター１００は、ポインター表示設定情報に基づいて、スマートフォン２０１，２０２，２０３毎にポインター画像の表示のオン・オフの設定をするための選択画面を投写する。操作者（プレゼンター）は、選択画面が表示された状態で、プロジェクター１００の操作部２１を操作することによって、ポインター画像の表示のオン・オフを切り替える。操作者によって設定されたポインター表示設定情報は、ポインター表示設定部２２に書き込まれる。そして、プロジェクター１００は、ポインター表示設定情報に基づいて、入力画像にポインター画像の合成を行い、合成画像の投写を行う。これにより、プロジェクター１００を操作することによって、操作者が、スマートフォン２０１，２０２，２０３のポインター画像のオン・オフを切り替えることができるため、利便性が高い。また、ＰＣ３００を用いることなくポインター表示設定の操作を行うため、画像表示システム２としての処理を簡易化することができる。
【００９０】
（２）画像表示システム２では、ＰＣ３００は、プロジェクター１００との制御信号のやりとりがないため、画像信号を供給するだけでよい。よって、ＰＣ３００（パーソナルコンピューター）に限定する必要はなく、汎用的な画像供給装置であればよいため、利便性が向上する。
【００９１】
なお、上述した実施形態に限定されず、種々の変更や改良等を加えて実施することが可能である。変形例を以下に述べる。
【００９２】
（変形例１）上記実施形態では、接続が確立すると、プロジェクター１００は、スマートフォン２０１，２０２，２０３に投写画像情報を送信するものとしたが、投写画像情報の送信は行わないものとしてもよい。この場合、スマートフォン２０１，２０２，２０３のタッチスクリーン２１０には、投写画像情報に基づく画像は表示されないが、ポインティング操作は受け付けて、プロジェクター１００に送信するものとする。
【００９３】
（変形例２）上記第１の実施形態では、プロジェクター１００は、ＰＣ３００にポインター表示設定情報を送信するものとしたが、装置情報リストＴ２を送信してもよい。そして、ＰＣ３００は、装置情報リストＴ２に基づいて、操作者によるポインター表示設定を受け付けて、第２のポインター表示設定情報を生成してもよい。
【００９４】
（変形例３）上記第１の実施形態では、情報処理装置はＰＣ３００としたが、ＰＣに限定するものではなく、プロジェクター１００に対する画像信号の送信、および制御信号の送受信が可能な情報処理装置であればよい。例えば、情報処理装置は、スマートフォン等の携帯情報端末としてもよい。
【００９５】
（変形例４）上記実施形態では、画像表示システム１，２は、携帯情報端末として、スマートフォン２０１，２０２，２０３を有するものとしているが、携帯情報端末は、スマートフォンに限定するものではない。携帯情報端末は、タブレットＰＣやノートＰＣ等としてもよい。また、スマートフォンやタブレットＰＣ、ノートＰＣ等が混在されていてもよい。また、携帯情報端末がタッチパネルを有していない場合は、タッチパッド等のポインティングデバイスによって、ポインティング操作を検出してもよい。
【００９６】
（変形例５）上記実施形態では、画像表示システム１，２は、３つのスマートフォン２０１，２０２，２０３を有しているが、スマートフォンの数はこれに限定されるものではない。スマートフォンの数は、単数であってもよいし、複数であってもよい。
【００９７】
（変形例６）上記実施形態では、画像表示装置として、プロジェクター１００を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【００９８】
（変形例７）上記実施形態では、スマートフォン２０１，２０２，２０３とプロジェクター１００との通信は、無線ＬＡＮ通信としたが、無線ＬＡＮ通信に限定するものではない。例えば、Ｂｌｕｅｔｏｏｔｈ（登録商標）やＵＳＢによる通信としてもよい。
【００９９】
（変形例８）上記実施形態では、プロジェクター１００は、ＰＣ３００からＵＳＢケーブルＣ１を介して画像信号の入力を行うものとしたが、電波等による無線通信によって画像信号の入力を行ってもよい。
【０１００】
（変形例９）上記実施形態では、光源装置１１は、放電型の光源ランプ１１ａを有して構成されているが、ＬＥＤ（Light Emitting Diode）光源やレーザー等の固体光源や、その他の光源を用いることもできる。
【０１０１】
（変形例１０）上記実施形態では、プロジェクター１００は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１０２】
１，２…画像表示システム、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作部、２２…ポインター表示設定部、３０…画像信号入力部、３１…画像処理部、３２…ＯＳＤ処理部、５０…無線ＬＡＮ通信部、１００…プロジェクター、２０１，２０２，２０３…スマートフォン、２１０…タッチスクリーン、２１１…タッチパネル、２１２…表示装置、２２０…第２制御部、２３０…第２画像処理部、２４０…第２無線ＬＡＮ通信部、３００…ＰＣ、Ｃ１…ＵＳＢケーブル。
【図１】
2014089379.tif 000003
【図２】
2014089379.tif 000004
【図３】
2014089379.tif 000005
【図４】
2014089379.tif 000006
【図５】
2014089379.tif 000007
【図６】
2014089379.tif 000008
【図７】
2014089379.tif 000009
【図８】
2014089379.tif 000010
【図９】
2014089379.tif 000011
【図１０】
2014089379.tif 000012
【図１１】
2014089379.tif 000013
【図１２】
2014089379.tif 000014